(57)【要約】【課題】過電流を抑制した点灯回路を提供する。【解決手段】定電流出力のスイッチングコンバータ２０２はリップル制御される。電流平滑回路２２０は、スイッチングコンバータ２０２の出力電流ＩＯＵＴを平滑化し、光源１０２に供給する。電流平滑回路２２０は、スイッチングコンバータ２０２の出力電流ＩＯＵＴの目標値ＩＲＥＦの変更に応答して、共振周波数またはインピーダンスが変化する。【選択図】図４
2018107985.tif 000002
【特許請求の範囲】
【請求項１】
リップル制御される定電流出力のスイッチングコンバータと、
前記スイッチングコンバータの出力電流を平滑化し、負荷に供給する電流平滑回路と、
を備え、
前記電流平滑回路は、前記スイッチングコンバータの前記出力電流の目標値の変更に応答して、共振周波数またはインピーダンスが変化することを特徴とする定電流駆動回路。
【請求項２】
前記電流平滑回路は、シリーズインダクタとシャントキャパシタを含むＬＣフィルタであることを特徴とする請求項１に記載の定電流駆動回路。
【請求項３】
前記電流平滑回路は、前記シャントキャパシタと直列に設けられた第１スイッチまたは可変インピーダンス素子を含むことを特徴とする請求項２に記載の定電流駆動回路。
【請求項４】
前記シャントキャパシタの容量値が可変に構成されることを特徴とする請求項２または３に記載の定電流駆動回路。
【請求項５】
前記シャントキャパシタは、
第１キャパシタと、
前記第１キャパシタの両端間に直列に接続される、第２キャパシタと、第２スイッチおよび可変インピーダンス素子の一方と、を含むことを特徴とする請求項４に記載の定電流駆動回路。
【請求項６】
前記第２スイッチがターンオンするとき前記第２スイッチのオン抵抗が緩やかに低下し、または、前記可変インピーダンス素子のインピーダンスが緩やかに低下することを特徴とする請求項５に記載の定電流駆動回路。
【請求項７】
前記シリーズインダクタのインダクタンスが可変に構成されることを特徴とする請求項２から６のいずれかに記載の定電流駆動回路。
【請求項８】
前記電流平滑回路は、前記シリーズインダクタと直列に設けられた可変インピーダンス素子をさらに含むことを特徴とする請求項２から７のいずれかに記載の定電流駆動回路。
【請求項９】
光源と、
前記光源を負荷とする請求項１から８のいずれかに記載の定電流駆動回路と、
を備えることを特徴とする車両用灯具。
【発明の詳細な説明】
【技術分野】
【０００１】
本発明は、負荷を定電流を供給する定電流駆動回路に関する。
【背景技術】
【０００２】
車両用灯具、プロジェクタ、液晶パネルのバックライト、照明装置、光通信技術などさまざまな用途に、ＬＤ（レーザダイオード）やＬＥＤ（発光ダイオード）などの光源が利用される。
【０００３】
図１は、一構成例に係る照明装置の回路図である。照明装置１００は、光源１０２、直流電源１１０、および点灯回路２００Ｒを備える。光源１０２は、ひとつ、あるいは直列に接続された複数の発光素子（たとえばＬＥＤやＬＤ）１０４を含む。
【０００４】
点灯回路２００Ｒは、スイッチングコンバータ２０２およびコンバータコントローラ２１０を備える。スイッチングコンバータ２０２は、降圧（Buck）コンバータであり、バッテリなどの直流電源１１０から直流入力電圧ＶＤＣを受け、所定の目標電流量ＩＲＥＦに安定化された出力電流ＩＯＵＴを生成する。光源１０２を点灯するために要求される電圧が、直流電源１１０からの電圧ＶＤＣより高い場合、直流電源１１０とスイッチングコンバータ２０２の間に、昇圧コンバータを挿入してもよい。
【０００５】
高速な負荷変動に対応するために、スイッチングコンバータ２０２のコンバータコントローラ２１０に、リップル制御が採用される。コンバータコントローラ２１０は、スイッチングコンバータ２０２に流れる電流ＩＯＵＴ（あるいはコイル電流ＩＬ）を、目標電流ＩＲＥＦを挟むように規定される上側しきい値ＩＵＰＰＥＲと下側しきい値ＩＢＯＴＴＯＭの間に安定化する。
【０００６】
このようなリップル制御のスイッチングコンバータ２０２の出力電流ＩＯＵＴには、リップルが重畳される。リップルが重畳された出力電流ＩＯＵＴが、点灯回路２００Ｒと光源１０２の間のハーネス１０６を往復すると、電磁ノイズが放射される。
【０００７】
図２は、別の構成例に係る照明装置の回路図である。図２の点灯回路２００Ｓは、図１の点灯回路２００Ｒに加えて、電流平滑回路２０４をさらに備える。電流平滑回路２０４はＬＣフィルタであり、スイッチングコンバータ２０２の出力側に挿入される。電流平滑回路２０４によって、出力電流ＩＯＵＴからリップルが除去されるため、ハーネス１０６を往復する駆動電流ＩＤＲＶには、リップルが含まれず、したがって電磁ノイズを抑制できる。
【先行技術文献】
【特許文献】
【０００８】
【特許文献１】国際公開第２０１３／１６１２１５号
【発明の概要】
【発明が解決しようとする課題】
【０００９】
本発明者は、図２の点灯回路２００Ｓについて検討した結果、以下の課題を認識するに至った。なおこの課題を当業者の一般的な認識として捉えてはならず、本発明者が同時に認識したものである。
【００１０】
光源１０２の輝度を変化させるために、コンバータコントローラ２１０の出力電流ＩＯＵＴを変化させる場合がある。図３は、図２の点灯回路２００Ｓの動作波形図である。時刻ｔ０より前において、目標電流ＩＲＥＦの値はＩＲＥＦ１である。ここではリップル制御として、ヒステリシス制御（Bang-Bang制御）について説明する。スイッチングコンバータ２０２の出力電流ＩＯＵＴは、上側しきい値ＩＵＰＰＥＲ１と下側しきい値ＩＢＯＴＴＯＭ１の間に安定化される。
【００１１】
時刻ｔ０に出力電流ＩＯＵＴの目標値ＩＲＥＦが、高い値ＩＲＥＦ２に切りかえられると、上側しきい値および下側しきい値が、それに連動して高い値ＩＵＰＰＥＲ２，ＩＢＯＴＴＯＭ２に変化する。
【００１２】
電流平滑回路２０４は、ＬＣ共振回路を形成している。出力電流ＩＯＵＴが急峻に上昇すると、電流平滑回路２０４による共振が発生し、電流平滑回路２０４から光源１０２に供給される駆動電流ＩＤＲＶは、大きく振動する。この駆動電流ＩＤＲＶの振動が過電流となり、光源１０２の信頼性を損なうおそれがある。
【００１３】
本発明はかかる課題に鑑みてなされたものであり、そのある態様の例示的な目的のひとつは、駆動電流の変動を抑制した定電流駆動回路の提供にある。
【課題を解決するための手段】
【００１４】
本発明のある態様は、定電流駆動回路に関する。定電流駆動回路は、リップル制御される定電流出力のスイッチングコンバータと、スイッチングコンバータの出力電流を平滑化し、負荷に供給する電流平滑回路と、を備える。電流平滑回路は、スイッチングコンバータの出力電流の目標値の変更に応答して、共振周波数またはインピーダンスが変化する。
【００１５】
この態様によると、駆動電流の変動抑制できる。
【００１６】
電流平滑回路は、シリーズインダクタとシャントキャパシタを含むＬＣフィルタであってもよい。
【００１７】
電流平滑回路は、シャントキャパシタと直列に設けられた第１スイッチまたは可変インピーダンス素子を含んでもよい。
【００１８】
シャントキャパシタの容量値が可変に構成されてもよい。
【００１９】
シャントキャパシタは、第１キャパシタと、第１キャパシタの両端間に直列に接続される、第２キャパシタと、第２スイッチおよび可変インピーダンス素子の一方と、を含んでもよい。
【００２０】
第２スイッチがターンオンするとき第２スイッチのオン抵抗が緩やかに低下し、または、可変インピーダンス素子のインピーダンスが緩やかに低下してもよい。
【００２１】
シリーズインダクタのインダクタンスが可変に構成されてもよい。
【００２２】
電流平滑回路は、シリーズインダクタと直列に設けられた可変インピーダンス素子をさらに含んでもよい。
【００２３】
本発明の別の態様は、車両用灯具に関する。車両用灯具は、光源と、光源を負荷とする上述のいずれかの定電流駆動回路と、を備えてもよい。
【００２４】
なお、以上の構成要素の任意の組み合わせや本発明の構成要素や表現を、方法、装置、システムなどの間で相互に置換したものもまた、本発明の態様として有効である。
【００２５】
さらに、この項目（課題を解決するための手段）の記載は、本発明の欠くべからざるすべての特徴を説明するものではなく、したがって、記載されるこれらの特徴のサブコンビネーションも、本発明たり得る。
【発明の効果】
【００２６】
本発明のある態様によれば、駆動電流の変動を抑制できる。
【図面の簡単な説明】
【００２７】
【図１】一構成例に係る照明装置の回路図である。
【図２】別の構成例に係る照明装置の回路図である。
【図３】図２の点灯回路の動作波形図である。
【図４】実施の形態に係る点灯回路を備える照明装置の回路図である。
【図５】図５（ａ）〜（ｄ）は、電流平滑回路の構成例を示す回路図である。
【図６】図４の定電流駆動回路の動作波形図である。
【図７】図７（ａ）〜（ｃ）は、変形例に係る電流平滑回路の回路図である。
【図８】図８（ａ）、（ｂ）は、電流平滑回路の別の変形例を示す回路図である。
【図９】図３の照明装置を備えるランプユニットの斜視図である。
【発明を実施するための形態】
【００２８】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２９】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
【００３０】
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００３１】
また本明細書において、電圧信号、電流信号などの電気信号、あるいは抵抗、キャパシタなどの回路素子に付された符号は、必要に応じてそれぞれの電圧値、電流値、あるいは抵抗値、容量値を表すものとする。
【００３２】
本明細書において参照する波形図やタイムチャートの縦軸および横軸は、理解を容易とするために適宜拡大、縮小したものであり、また示される各波形も、理解の容易のために簡略化され、あるいは誇張もしくは強調されている。
【００３３】
図４は、実施の形態に係る点灯回路２００を備える照明装置１００の回路図である。照明装置１００は、光源１０２および点灯回路２００を備える。点灯回路２００には、スタートスイッチＳＳを介して直流電源１１０からの直流電圧ＶＤＣが供給される。スタートスイッチＳＳは、点灯回路２００の起動指示、言い換えれば光源１０２の点灯指示に応答してターンオンする。
【００３４】
点灯回路２００は、定電流駆動回路３００およびマイクロコントローラ３０２を備える。定電流駆動回路３００は、負荷である光源１０２に、目標量ＩＲＥＦに安定化された駆動電流ＩＤＲＶを供給する。光源１０２の輝度を制御するために、目標量ＩＲＥＦは変更可能となっている。たとえば目標量ＩＲＥＦは、マイクロコントローラ３０２が生成する制御信号にもとづいて変更可能である。
【００３５】
定電流駆動回路３００は、スイッチングコンバータ２０２、コンバータコントローラ２１０および電流平滑回路２２０を備える。スイッチングコンバータ２０２は、定電流出力の降圧コンバータであり、スイッチングトランジスタＭ１、インダクタＬ１、整流ダイオードＤ１を含む。コンバータコントローラ２１０は、リップル制御によってスイッチングコンバータ２０２のスイッチングトランジスタＭ１のオン、オフを制御する。具体的にはコンバータコントローラ２１０は、スイッチングコンバータ２０２に流れる電流ＩＯＵＴ（あるいはコイル電流ＩＬ）を、目標電流ＩＲＥＦを挟むように規定される上側しきい値ＩＵＰＰＥＲと下側しきい値ＩＢＯＴＴＯＭの間に安定化する。
【００３６】
電流平滑回路２２０は、スイッチングコンバータ２０２の出力電流ＩＯＵＴを平滑化する。光源１０２には、電流平滑回路２２０によって平滑化された駆動電流ＩＤＲＶが供給される。電流平滑回路２２０は、シリーズインダクタとシャントキャパシタを含むＬＣフィルタであってもよい。
【００３７】
電流平滑回路２２０は、スイッチングコンバータ２０２の出力電流ＩＯＵＴの目標値ＩＲＥＦの変更に応答して、共振周波数またはインピーダンスが変化するよう構成される。
【００３８】
図５（ａ）〜（ｄ）は、電流平滑回路２２０の構成例を示す回路図である。図５（ａ）の電流平滑回路２２０は、シャントキャパシタＣ２と直列に設けられた第１スイッチＳＷ１を含む。第１スイッチＳＷ１は、少なくとも、オン抵抗が実質的にゼロであるオン状態とオン抵抗が非常に大きいオフ状態とが切りかえ可能である。第１スイッチＳＷ１は、オン抵抗ＲＯＮが連続的に変化可能であり、もしくは離散的に多値で変化可能であることが好ましい。図５（ｂ）に示すように、第１スイッチＳＷ１はＭＯＳトランジスタＭ２で構成することができ、ゲート電圧ＶＧ１に応じて、オン抵抗を変化させることができる。
【００３９】
第１スイッチＳＷ１のオン、オフは、マイクロコントローラ３０２が生成する制御信号ＳＣＮＴによって制御される。マイクロコントローラ３０２は、出力電流ＩＯＵＴが安定している定常状態において、第１スイッチＳＷ１をオン（フルオン）させる。マイクロコントローラ３０２は、目標電流ＩＲＥＦを変更するとき、第１スイッチＳＷ１をオフする。
【００４０】
目標電流ＩＲＥＦの変更後、しばらく経過した後に、たとえば出力電流ＩＯＵＴが変更後の目標電流ＩＲＥＦに安定化すると、マイクロコントローラ３０２は第１スイッチＳＷ１をオンに戻す。このとき、第１スイッチＳＷ１のオン抵抗を緩やかに低下させることが望ましい。
【００４１】
第１スイッチＳＷ１のオン抵抗を連続的に、あるいは３値以上で離散的に変化させる場合、第１スイッチＳＷ１は、図５（ｃ）に示すように可変インピーダンス素子Ｒ２と把握することもできる。
【００４２】
図５（ｄ）には、第１スイッチＳＷ１もしくは可変インピーダンス素子Ｒ２の構成例が示される。ＮＭＯＳトランジスタＭ２のゲートには、ゲート抵抗Ｒ３が接続される。ゲート抵抗Ｒ３と並列に、ダイオードＤ２が設けられる。矩形の制御信号ＳＣＮＴを入力すると、制御信号ＳＣＮＴの立ち上がりに際しては、ＮＭＯＳトランジスタＭ２のゲート電圧の上昇速度は、ゲート抵抗Ｒ３によって制限されるため、電圧ＶＧは緩やかに上昇し、したがって第１スイッチＳＷ１は緩やかにオンとなる。反対に制御信号ＳＣＮＴの立ち下がりに際しては、ゲートの電荷はダイオードＤ２を介して放電されるため、ＮＭＯＳトランジスタＭ２のゲート電圧ＶＧは急峻に低下し、したがって第１スイッチＳＷ１を急速にオフすることができる。
【００４３】
図５（ｄ）に示すようにＮＭＯＳトランジスタＭ２のゲートドレイン間にキャパシタＣ３を追加してもよい。この場合、ミラー効果によってゲート電圧ＶＧの立ち上がりをさらに遅らせることができる。
【００４４】
以上が定電流駆動回路３００の構成である。続いてその動作を説明する。図６は、図４の定電流駆動回路３００の動作波形図である。時刻ｔ０より前において、目標電流ＩＲＥＦは第１値ＩＲＥＦ１である。出力電流ＩＯＵＴは、目標電流ＩＲＥＦ１の近傍に安定化されている。制御信号ＳＣＮＴはハイレベルであり、第１スイッチＳＷ１はオン状態となっており、電流平滑回路２２０は、Ｌ２とＣ２を含むＬＣフィルタとして機能し、駆動電流ＩＤＲＶのリップルが除去される。
【００４５】
時刻ｔ０に、目標電流ＩＲＥＦが、第２値ＩＲＥＦ２に切りかえられる。コンバータコントローラ２１０は、上側しきい値ＩＵＰＰＥＲおよび下側しきい値ＩＢＯＴＴＯＭを変化させる。これにより、スイッチングコンバータ２０２の出力電流ＩＯＵＴの平均値が上昇する。
【００４６】
時刻ｔ０の目標電流ＩＲＥＦの切りかえにともなって、制御信号ＳＣＮＴがローレベルとなると、第１スイッチＳＷ１がターンオフする。これにより、電流平滑回路２２０のフィルタ機能が無効化される。その結果、電流平滑回路２２０に起因する駆動電流ＩＤＲＶの共振が抑制され、過電流が抑制される。別の観点からみると、第１スイッチＳＷ１がターンオフによって電流平滑回路２２０の共振周波数がシフトすることにより、共振が抑制されているとも理解できる。なお、電流平滑回路２２０のフィルタ機能が無効化されている間ｔ０〜ｔ１において、駆動電流ＩＤＲＶにはリップルが重畳される。
【００４７】
時刻ｔ０から所定時間の経過後の時刻ｔ１に、制御信号ＳＣＮＴがローレベルとなると、第１スイッチＳＷ１が緩やかにオン状態に遷移する。これにより、駆動電流ＩＤＲＶを安定化できる。
【００４８】
以上が定電流駆動回路３００の動作である。この定電流駆動回路３００によれば、スイッチングコンバータ２０２の出力電流ＩＯＵＴが変動する際の、駆動電流ＩＤＲＶのオーバーシュート、すなわち過電流を抑制できる。
【００４９】
図６では、出力電流ＩＯＵＴを上昇させる際の動作を説明したが、出力電流ＩＯＵＴを低下させる際にも本発明は有効である。図２の点灯回路２００Ｓにおいて、出力電流ＩＯＵＴを低下させると、駆動電流ＩＤＲＶはアンダーシュートを起こし、光源１０２が一時的に消灯するおそれがある。そこで、スイッチングコンバータ２０２の出力電流ＩＯＵＴを低下させる際に、電流平滑回路２２０のインピーダンス（共振周波数）を一時的に変化させることで、駆動電流ＩＤＲＶのアンダーシュートを抑制できる。
【００５０】
電流平滑回路２２０の構成にはさまざまな変形例が存在しうる。以下、変形例を説明する。
【００５１】
図７（ａ）〜（ｂ）は、変形例に係る電流平滑回路の回路図である。図７（ａ）の電流平滑回路２２０Ａは、シャントキャパシタＣ２の容量値が可変に構成される。出力電流ＩＯＵＴの変動に際して、シャントキャパシタＣ２の容量値は低下する。
【００５２】
図７（ｂ）の電流平滑回路２２０Ｂにおいて、シャントキャパシタＣ２は、第１キャパシタＣ２１と、第１キャパシタＣ２１の両端間に直列に接続される第２キャパシタＣ２２および第２スイッチＳＷ２を含む。第２スイッチＳＷ２がオンのとき、シャントキャパシタＣ２の容量値は、２つのキャパシタＣ２１，Ｃ２２の合成容量である。第２スイッチＳＷ２がオフすると、シャントキャパシタＣ２の容量値は、Ｃ２１となる。
【００５３】
図７（ｃ）の電流平滑回路２２０Ｃは、第２スイッチＳＷ２に代えて、可変インピーダンス素子Ｒ４を備える。
【００５４】
図５（ａ）〜（ｃ）の電流平滑回路２２０では、図６の期間ｔ０〜ｔ１の間に、駆動電流ＩＯＵＴにリップルが生ずる場合がある。これに対して図７（ａ）〜（ｃ）の電流平滑回路２２０Ａ〜２２０Ｃによれば、図６の期間ｔ０〜ｔ１の間において、第１キャパシタＣ２１とシリーズインダクタＬ２からなるフィルタによって、駆動電流ＩＤＲＶのリップルを抑制できる。
【００５５】
図７（ｂ）において、第２スイッチＳＷ２がターンオンするとき第２スイッチＳＷ２のオン抵抗は緩やかに低下することが好ましい。また図７（ｃ）において、可変インピーダンス素子Ｒ４のインピーダンスは、緩やかに低下することが好ましい。
【００５６】
図８（ａ）、（ｂ）は、電流平滑回路の別の変形例を示す回路図である。図８（ａ）の電流平滑回路２２０Ｄにおいて、シリーズインダクタＬ２のインダクタンスが可変である。具体的には、電流変動が生ずると、シリーズインダクタＬ２のインダクタンスは定常状態の値に比べて増加する。
【００５７】
図８（ｂ）の電流平滑回路２２０Ｅにおいて、シリーズインダクタＬ２は、第１インダクタＬ２１、第２インダクタＬ２２、第２インダクタＬ２２と並列な第３スイッチＳＷ３を含む。定常状態において第３スイッチＳＷ３はオンであり、出力電流ＩＯＵＴの変動に際して、第３スイッチＳＷ３がオフする。その後、第３スイッチＳＷ３は緩やかにオンすることが望ましい。
【００５８】
そのほか、図８（ｂ）の第２インダクタＬ２２と第３スイッチＳＷ３の組み合わせに代えて、第１インダクタＬ２１と直列に可変インピーダンス素子を設けてもよい。
【００５９】
当業者によれば、電流平滑回路２２０にはそのほかに様々な変形例が存在しうること、そのような変形例も本発明の範囲に含まれることが理解される。
【００６０】
最後に、照明装置１００の用途を説明する。照明装置１００は、車両用灯具に用いることができる。この場合において、光源１０２は、直列に接続された複数の発光素子１０４を含んでもよい。また、一部の発光素子１０４と並列にオン、オフ可能なバイパススイッチあるいはバイパス回路を設けてもよい。バイパススイッチをオンすると、それと並列な発光素子がバイパスされ、消灯する。
【００６１】
図９は、図３の照明装置１００を備えるランプユニット（ランプアッシー）５００の斜視図である。ランプユニット５００は、透明のカバー５０２、ハイビームユニット５０４、ロービームユニット５０６、筐体５０８を備える。上述の照明装置１００は、たとえばハイビームユニット５０４に用いることができる。複数の発光素子１０４は、それぞれが異なる領域を照射するように、たとえば横方向に一列に配置される。そして、車両の走行状態において、車両側のコントローラ、たとえばＥＣＵ（電子制御ユニット）により、照射すべき領域が適応的に選択される。照明装置１００には、照射すべき領域を指示するデータが入力され、照明装置１００は、指示された領域に対応する発光素子１０４を点灯させる。
【００６２】
以上、本発明について実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００６３】
（変形例１）
電流平滑回路２２０の構成は、実施の形態で説明したＬＣフィルタには限定されず、Ｔ型やπ型など他の形式のフィルタを用いてもよい。
【００６４】
光源１０２としては、ＬＥＤの他にＬＤ（レーザダイオード）や有機ＥＬ（エレクトロルミネッセンス）などの半導体光源を用いてもよい。
【００６５】
（変形例２）
実施の形態では、リップル制御の一例としてヒステリシス制御を説明したがその限りではなく、アッパー検出オフ時間固定方式、あるいはボトム検出オン時間固定方式を採用してもよい。
【００６６】
（変形例３）
図９のランプユニット５００では、ハイビームユニット５０４に照明装置１００を使用する場合を説明したが、それに代えて、あるいはそれに加えて、ロービームユニット５０６に照明装置１００を用いてもよい。
【００６７】
（変形例４）
定電流駆動回路３００の負荷は光源に限定されず、定電流駆動すべきその他の負荷を接続してもよい。
【００６８】
実施の形態にもとづき、具体的な語句を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００６９】
１００…照明装置、１０２…光源、１０４…発光素子、１０６…ハーネス、１１０…直流電源、２００…点灯回路、２０２…スイッチングコンバータ、２０４…電流平滑回路、２１０…コンバータコントローラ、２２０…電流平滑回路、３００…定電流駆動回路、３０２…マイクロコントローラ、ＳＷ１…第１スイッチ、Ｃ２…シャントキャパシタ、Ｌ２…シリーズインダクタ。
【図１】
2018107985.tif 000003
【図２】
2018107985.tif 000004
【図３】
2018107985.tif 000005
【図４】
2018107985.tif 000006
【図５】
2018107985.tif 000007
【図６】
2018107985.tif 000008
【図７】
2018107985.tif 000009
【図８】
2018107985.tif 000010
【図９】
2018107985.tif 000011